【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
ブロードキャスト通信システムで加入者局にページングする方法において、
加入者局のページングセットのステータスを決定し、
加入者局のページングセットの決定されたステータスにしたがって、加入者局にページングするページングチャネルを決定し、
すべての決定されたページングチャネル上で加入者局にページングすることを含み、
加入者局のページングセットのステータスを決定することは、
加入者局において、第１の周波数を変調するＨＳＢＳチャネルを受信し、
加入者局において、ＨＳＢＳチャネルに対するタイマステータスを監視し、タイマステータスが終了した場合に、ＨＳＢＳチャネルを送信しているセクタにブロードキャストサービス登録を実行し、ＨＳＢＳチャネルに対するタイマのステータスをイネーブルにセットし、ＨＳＢＳチャネルに対する第１のタイマを開始し、
セクタにおいて、加入者局からのブロードキャストサービス登録を受信し、
セクタにおいて、ページング識別子を加入者局のページングセットに追加し、
セクタにおいて、ページング識別子に対する第２のタイマを開始し、
セクタにおいて、すべての加入者局のページングセットに対するすべてのページング識別子のタイマステータスを監視し、１つの加入者局に対する１つのページング識別子のタイマステータスが終了した場合に、そのページング識別子を加入者局のページングセットから除去することを含む方法。
【請求項２】
ブロードキャスト通信システムで加入者局にページングする方法において、
加入者局のページングセットのステータスを決定し、
加入者局のページングセットの決定されたステータスにしたがって、加入者局にページングするページングチャネルを決定することを含み、
加入者局にページングするページングチャネルを決定することは、
加入者局のページングセットに含まれているページング識別子にしたがって、加入者局にページングする周波数を決定し、
各周波数に対して加入者局にページングするページングチャネルを決定し、
すべての決定されたページングチャネル上で加入者局にページングすることを含む方法。
【請求項３】
ブロードキャスト通信システムで加入者局にページングする方法において、
加入者局のページングセットのステータスを決定し、
加入者局のページングセットの決定されたステータスにしたがって、加入者局にページングするページングチャネルを決定し、
すべての決定されたページングチャネル上で加入者局にページングすることを含み、
加入者局のページングセットのステータスを決定することは、
ブロードキャストチャネルを受信したい要求の第１の通知を加入者局から送信し、
ブロードキャストチャネル受信を中止したい要求の第２の通知を加入者局から送信し、
第１の通知を受信したときに、ページング識別子を加入者局のページングセットに追加し、
第２の通知を受信したときに、ページング識別子を加入者局のページングセットから除去することを含む方法。
【請求項４】
第１の通知に応答して、ブロードキャストチャネルを受信する許可をセクタから送信し、
許可を受信した後に、加入者局においてブロードキャストチャネルを受信することをさらに含む請求項３記載の方法。
【請求項５】
ブロードキャスト通信システムで加入者局にページングする方法において、
加入者局のページングセットのステータスを決定し、
加入者局のページングセットの決定されたステータスにしたがって、加入者局にページングするページングチャネルを決定し、
すべての決定されたページングチャネル上で加入者局にページングすることを含み、
加入者局のページングセットのステータスを決定することは、
加入者局により監視されている第１の周波数とは異なる第２の周波数を変調するブロードキャストチャネルを受信したい要求の通知を加入者局から送信し、
通知を受信したときに、加入者局のページングセットから第１の周波数の識別子を除去し、
通知を受信したときに、第２の周波数の識別子を加入者局のページングセットに追加することを含む方法。
【請求項６】
通知に応答して、ブロードキャストチャネルを受信する許可をセクタから送信し、
許可を受信した後に、加入者局においてブロードキャストチャネルを受信することをさらに含む請求項５記載の方法。
【請求項７】
ブロードキャスト通信システムで加入者局にページングする装置において、
加入者局のページングセットのステータスを決定する手段と、
加入者局のページングセットの決定されたステータスにしたがって、加入者局にページングするページングチャネルを決定する手段と、
すべての決定されたページングチャネル上で加入者局にページングする手段とを具備し、
加入者局のページングセットのステータスを決定する手段は、
加入者局において、第１の周波数を変調するＨＳＢＳチャネルを受信する手段と、
加入者局において、ＨＳＢＳチャネルに対するタイマステータスを監視し、タイマステータスが終了した場合に、ＨＳＢＳチャネルを送信しているセクタにブロードキャストサービス登録を実行し、ＨＳＢＳチャネルに対するタイマのステータスをイネーブルにセットし、ＨＳＢＳチャネルに対する第１のタイマを開始する手段と、
セクタにおいて、加入者局からのブロードキャストサービス登録を受信する手段と、
セクタにおいて、ページング識別子を加入者局のページングセットに追加する手段と、
セクタにおいて、ページング識別子に対する第２のタイマを開始する手段と、
セクタにおいて、すべての加入者局のページングセットに対するすべてのページング識別子のタイマステータスを監視し、１つの加入者局に対する１つのページング識別子のタイマステータスが終了した場合に、そのページング識別子を加入者局のページングセットから除去する手段とを備える装置。
【請求項８】
ブロードキャスト通信システムで加入者局にページングする装置において、
加入者局のページングセットのステータスを決定する手段と、
加入者局のページングセットの決定されたステータスにしたがって、加入者局にページングするページングチャネルを決定する手段とを具備し、
加入者局にページングするページングチャネルを決定する手段は、
加入者局のページングセットに含まれているページング識別子にしたがって、加入者局にページングする周波数を決定する手段と、
各周波数に対して加入者局にページングするページングチャネルを決定する手段と、
すべての決定されたページングチャネル上で加入者局にページングする手段とを備える装置。
【請求項９】
ブロードキャスト通信システムで加入者局にページングする装置において、
加入者局のページングセットのステータスを決定する手段と、
加入者局のページングセットの決定されたステータスにしたがって、加入者局にページングするページングチャネルを決定する手段と、
すべての決定されたページングチャネル上で加入者局にページングする手段とを具備し、
加入者局のページングセットのステータスを決定する手段は、
ブロードキャストチャネルを受信したい要求の第１の通知を加入者局から送信する手段と、
ブロードキャストチャネル受信を中止したい要求の第２の通知を加入者局から送信する手段と、
第１の通知を受信したときに、ページング識別子を加入者局のページングセットに追加する手段と、
第２の通知を受信したときに、ページング識別子を加入者局のページングセットから除去する手段とを備える装置。
【請求項１０】
第１の通知に応答して、ブロードキャストチャネルを受信する許可をセクタから送信する手段と、
許可を受信した後に、加入者局においてブロードキャストチャネルを受信する手段とをさらに具備する請求項９記載の装置。
【請求項１１】
ブロードキャスト通信システムで加入者局にページングする装置において、
加入者局のページングセットのステータスを決定する手段と、
加入者局のページングセットの決定されたステータスにしたがって、加入者局にページングするページングチャネルを決定する手段と、
すべての決定されたページングチャネル上で加入者局にページングする手段とを具備し、
加入者局のページングセットのステータスを決定する手段は、
加入者局により監視されている第１の周波数とは異なる第２の周波数を変調するブロードキャストチャネルを受信したい要求の通知を加入者局から送信する手段と、
通知を受信したときに、加入者局のページングセットから第１の周波数の識別子を除去する手段と、
通知を受信したときに、第２の周波数の識別子を加入者局のページングセットに追加する手段とを備える装置。
【請求項１２】
通知に応答して、ブロードキャストチャネルを受信する許可をセクタから送信する手段と、
許可を受信した後に、加入者局においてブロードキャストチャネルを受信する手段とをさらに具備する請求項１１記載の装置。
【手続補正２】
【補正対象書類名】明細書
【補正対象項目名】００３８
【補正方法】変更
【補正の内容】
【００３８】
当業者は、付加的なブロードキャスト関連情報を信号送信するためにＢＳＰＭが使用されるかもしれないことを認識するであろう。例えば、ＢＳＰＭには、加入者局がハンドオフを実行できるように、各物理チャネルに対して、同一情報を送信している隣接のリストも含まれる。ハンドオフ方法およびシステムは２００４年５月４日に発行され、“ブロードキャスト通信システムにおけるハンドオフのための方法およびシステム”と題する、米国特許第６，７３１，９３６号でさらに詳細に説明されている。さらに、ＢＳＰＭには以下で詳細に説明されている、ブロードキャストサービス登録に関係する情報も含まれていてもよい。さらに、ＢＳＰＭには以下で詳細に説明されている、ＨＳＢＳスケジュールシグナリングも含まれていてもよい。